(57)【要約】【課題】簡単な構造によりチョークコイルをブラシホルダ本体の略半円筒状のチョークコイル保持部内に確実に保持することができるブラシホルダを提供する。【解決手段】アーマチュア軸１７のコンミュテータ１８に摺接する複数のブラシと、ブラシを出没自在に収納するブラシボックスを取り付けたブラシホルダ２０と、ブラシに一端部が接続され、ブラシホルダ本体に保持されるチョークコイル４０と、チョークコイルの他端部が電気的に接続され、ブラシホルダに保持されるターミナル４２とを備えたモータ１０において、各チョークコイル保持部２８の側壁の上端に各チョークコイル４０の一端部を保持する係止凹部２８ｅを形成すると共に、各チョークコイル保持部２８の底壁に各チョークコイル４０を載置させる棚部２８ａを形成した。【選択図】図９
2008252972.tif 000002
【特許請求の範囲】
【請求項１】
アーマチュア軸のコンミュテータに摺接する複数のブラシと、前記ブラシを出没自在に収納するブラシボックスを取り付けたブラシホルダと、前記ブラシに一端部が接続され、前記ブラシホルダのチョークコイル保持部に収納保持されるチョークコイルと、前記チョークコイルの他端部が電気的に接続され、前記ブラシホルダに保持されるターミナルとを備えたモータにおいて、
前記各チョークコイル保持部の側壁の上端に前記各チョークコイルの一端部を保持する係止凹部を形成すると共に、前記各チョークコイル保持部の底壁に前記各チョークコイルを載置させる棚部を形成したことを特徴とするモータ。
【発明の詳細な説明】
【技術分野】
【０００１】
本発明は、モータ軸のコンミュテータに摺接するブラシを保持したブラシホルダを備えたモータに関する。
【背景技術】
【０００２】
この種のモータとして、図１４に示すものがある（例えば、特許文献１参照。）。
【０００３】
このモータのブラシホルダ１は、図１４に示すように、給電用の一対のブラシ４ａ，４ａ及び接地用のブラシ４ｂをそれぞれ出没自在に収納する３つのブラシボックス４Ａ，４Ａ，４Ｂを取り付けた円環板状のステー３と、このステー３を底壁部２ａに取り付けると共に、周壁部２ｂの内側に給電用の一対のブラシ４ａ，４ａにそれぞれ接続される電磁ノイズ低減用のチョークコイル５，５を収納する略半円筒状で一対のチョークコイル保持部２ｃ，２ｃを突設したブラシホルダ本体２と、一端部６ａが各チョークコイル５の他端部５ｂに溶接や半田付け等により接合されて各ブラシ４ａに電源を供給する給電用の一対のターミナル６，６と、接地用のブラシ４ｂにサーキットブレーカ７を介して接続される接地用のターミナル８とを備えている。
【０００４】
各チョークコイル５の一端部５ａはピグテール線Ｐを介して給電用のブラシ４ａに接続されている。また、各チョークコイル５はブラシホルダ本体２の略半円筒状の各チョークコイル保持部２ｃ内に収納されて保持されるようになっている。さらに、接地用のブラシ４ｂはピグテール線Ｐを介してサーキットブレーカ７の一方の端子７ａに接続されており、該サーキットブレーカ７の他方の端子７ｂは接地用のターミナル８の一端部８ａに接続されている。さらに、接地用のターミナル８の他端部８ｂはチョークコイル９に接続されており、これら接地用のターミナル８とチョークコイル９はブラシホルダ本体２に形成された収納溝部２ｄと短尺のチョークコイル保持部２ｅに収納されるようになっている。
【０００５】
【特許文献１】特許第３５９８４５８号公報
【発明の開示】
【発明が解決しようとする課題】
【０００６】
しかしながら、前記従来のブラシホルダ１では、チョークコイル５の他端部５ｂと給電用のターミナル６の一端部６ａを予め溶接や半田付けで接合した後で、チョークコイル５をブラシホルダ本体２の略半円筒状のチョークコイル保持部２ｃ内に収納して組み付けていたので、略半円筒状のチョークコイル保持部２ｃ内にチョークコイル５を保持する構造が複雑となっていた。
【０００７】
そこで、本発明は、前記した課題を解決すべくなされたものであり、簡単な構造でチョークコイルをブラシホルダ本体の略半円筒状のチョークコイル保持部内に確実に保持することができるモータを提供することを目的とする。
【課題を解決するための手段】
【０００８】
請求項１の発明は、アーマチュア軸のコンミテータに摺接する複数のブラシと、前記ブラシを出没自在に収納するブラシボックスを取り付けたブラシホルダと、前記ブラシに一端部が接続され、前記ブラシホルダのチョークコイル保持部に収納保持されるチョークコイルと、前記チョークコイルの他端部が電気的に接続され、前記ブラシホルダに保持されるターミナルとを備えたモータにおいて、前記各チョークコイル保持部の側壁の上端に前記各チョークコイルの一端部を保持する係止凹部を形成すると共に、前記各チョークコイル保持部の底壁に前記各チョークコイルを載置させる棚部を形成したことを特徴とする。
【発明の効果】
【０００９】
以上説明したように、請求項１の発明によれば、各チョークコイル保持部の側壁の上端に各チョークコイルの一端部を保持する係止凹部を形成すると共に、各チョークコイル保持部の底壁に各チョークコイルを載置させる棚部を形成したことにより、チョークコイルの一端部を係止凹部に把持させることによって保持することができる共に、チョークコイルの他端側を棚部で保持することにより脱落を防止することができる。そのため、簡単な構造により各チョークコイルをブラシホルダ本体の略半円筒状の各チョークコイル保持部内に確実に保持することができる。
【発明を実施するための最良の形態】
【００１０】
以下、本発明の一実施形態を図面に基づいて説明する。
【００１１】
図１は本発明の一実施形態のモータを示す斜視図、図２は同モータのヨークを取り外した状態を示す斜視図、図３は同ヨークを取り外した状態を一部断面で示す部分側面図、図４は同モータのギヤケースカバーに支持されたブラシホルダを底面側から見た斜視図、図５は同ブラシホルダを正面斜め上方から見た斜視図、図６は同ブラシホルダを背面側から見た斜視図、図７は同ブラシホルダの正面図、図８は同ブラシホルダの分解斜視図、図９は同ブラシホルダの要部の拡大斜視図、図１０は同ブラシホルダに配置されるブラシとチョークコイルとターミナルの関係を示す拡大斜視図、図１１は同ブラシホルダのブラシホルダ本体を正面斜め上方から見た斜視図、図１２は同ブラシホルダ本体の平面図、図１３は同ブラシホルダ本体の一対のチョークコイル保持部を正面斜め上方から状態から見た斜視図である。
【００１２】
図１及び図２に示すように、モータ１０は、図示しないアーマチュアを収納した有底で円筒状のヨーク（モータケース）１１と、このヨーク１１の開口部の周りのフランジ部１１ａが図示しないビスを介して円筒部１２ａの開口部１２ｂの周りのフランジ部１２ｃに締結固定され、内部にアーマチュアのアーマチュア軸（モータ軸）１７に形成したウォームと該ウォームに噛合するウォームホイールから成る減速機構（図示省略）を収納したギヤケース１２と、このギヤケース１２の側壁部１２ｄの先端に側壁部１３ｂの開口端の環状凹部１３ｃを嵌め込むようにして該ギヤケース１２の側壁部１２ｄに図示しないビスを介して締結固定されるギヤケースカバー１３とを備えている。そして、図４及び図５に示すように、ギヤケースカバー１３の天板部１３ａの内面に一体突出形成された雄コネクタ部１３ｄにブラシホルダ２０の雌コネクタ部２７を着脱自在に嵌め込んである。これにより、図２に示すように、ブラシホルダ２０は、モータ１０を組み立てる際に、ギヤケース１２の円筒部１２ａ内の所定位置に位置決めされて組み付けられるようになっている。
【００１３】
図２，図４〜図８に示すように、ブラシホルダ２０は、アーマチュア軸１７のコンミュテータ１８に電源を供給する給電用の一対のブラシ３３，３３及び接地用（アース用）のブラシ３５をそれぞれ出没自在に収納する３つのブラシボックス３１，３１，３２を取り付けた金属製で円環板状のステー３０と、このステー３０を底壁部２２に取り付けると共に、周壁部２５の内側に給電用の一対のブラシ３３，３３にそれぞれ接続される電磁ノイズ低減用のチョークコイル４０を収納する略半円筒状で一対のチョークコイル保持部２８，２８を突設した合成樹脂製のブラシホルダ本体２１と、一端部４２ａが各チョークコイル４０の他端部４０ｂに接続されて一対のブラシ３３，３３に電源を供給する給電用の一対のターミナル４２，４２と、接地用のブラシ３５に接続される接地用（アース用）のターミナル４３と、この接地用のターミナル４３の中途部４３ｃにスポット溶接され、該中途部４３ｃより下方に突出するアースターミナル４４とを備えている。
【００１４】
図４，図５，図７〜図９に示すように、ステー３０の中央にはアーマチュア軸１７のコンミュテータ１８を貫通させる円形の貫通孔３０ａを形成してある。この貫通孔３０ａを挾むようにしてステー３０の上面３０ｂには、各ブラシボックス３１，３２を放射状にそれぞれ取り付けてあり、この各ブラシボックス３１，３２内に各ブラシ３３，３５を出没自在に収納してある。また、各ブラシ３３，３５は付勢手段としての圧縮コイルバネ３８によりコンミュテータ１８に接触するように押圧付勢されている。尚、ステー３０の給電用のブラシボックス３１と接地用のブラシボックス３２が取り付けられる外周縁３０ｃ側には凹状の切欠き部３０ｄ，３０ｅをそれぞれ形成してある。また、ステー３０の外周縁３０ｃはブラシホルダ本体２１の周壁部２５の内周面２５ａに複数形成された各上下一対の係止爪２５ｂ，２５ｃ間に保持されている。
【００１５】
図４〜図９及び図１１〜図１３に示すように、ブラシホルダ本体２１の底壁部２２は半円環板状に形成してあり、その上面２２ａに給電用の一対のターミナル４２，４２を配索する一対の収納凹部２３，２３と接地用のターミナル４３を配索する収納溝部２４をそれぞれ形成してある。各収納凹部２３の両側には各ターミナル４２を保持する一対の係止爪２３ａ，２３ａを一体突出形成してある。また、収納溝部２４の両側には一対の係止爪２４ａ，２４ａを複数対形成してあると共に、収納溝部２４の周壁部２５寄りの位置には、アースターミナル４４が貫通する貫通孔２４ｂを形成してある。
【００１６】
図４〜図８に示すように、ブラシホルダ本体２１の周壁部２５は半円環板状の底壁部２２の両側から少し突出した円弧状になっている。この周壁部２５の下部には矩形の開口部２６を形成してあると共に、該開口部２６の下側の底壁部２２には雌コネクタ部２７を一体突出形成してある。
【００１７】
また、図４〜図９及び図１１〜図１３に示すように、ブラシホルダ本体２１の周壁部２５の内周面２５ａの開口部２６に対向する位置（一端側）には、電磁ノイズ低減用のチョークコイル４０を収納する略半円筒状で一対のチョークコイル保持部２８，２８をそれぞれ一体突出形成してある。この各チョークコイル保持部２８の底壁２８ａにはブラシホルダ本体２１の周壁部２５の開口部２６と連通する開口部２８ｂを形成してある。また、図１１〜図１３に示すように、各チョークコイル保持部２８の下端部は断面略半円形に形成されていると共にその下端部から上端部に向かって断面多角形に形成されている。これは、チョークコイル保持部２８が下端部から上端部に向かってチョークコイル４０に接触するように、断面多角形の各辺はチョークコイル４０の外径に対して接線となるように、各チョークコイル保持部２８の断面略半円形の下端部から上端部に向かって連続的に変化している。さらに、図９及び図１１〜図１３に示すように、各チョークコイル保持部２８の外側の側壁２８ｄの上端には各チョークコイル４０の一端部４０ａを保持する係止凹部２８ｅを形成してある。さらに、図１１〜図１３に示すように、各チョークコイル保持部２８の底壁２８ａは各チョークコイル４０を載置させる半円形状の棚部になっている。
【００１８】
また、図４〜図９及び図１１〜図１３に示すように、ブラシホルダ本体２１の周壁部２５の内周面２５ａの他端側には、サーキットブレーカ３７を収納する凹状のブレーカ保持部２９を形成してある。図５〜図８に示すように、サーキットブレーカ３７の上側の端子３７ａには、一端部３６ａが接地用のブラシ３５に接続されたピグテール線（リード線）３６の他端部３６ｂをスポット溶接により接合してある。また、サーキットブレーカ３７の下側の端子３７ｂには、接地用のターミナル４３の一端部４３ａをスポット溶接により接合してある。さらに、図６に示すように、接地用のターミナル４３の他端部４３ｂはブラシホルダ本体２１の雌コネクタ部２７内に突出している。
【００１９】
図２，図５，図８〜図１０に示すように、各チョークコイル４０は巻回部４０ｃ内に円柱状のマグネット４１を接着等により固着してあり、その一端部４０ａには一端部３４ａが給電用のブラシ３３に接続されたピグテール線（リード線）３４の他端部３４ｂを加締め板３９の加締めにより接合してある。また、この各チョークコイル４０は、比較的高い周波数の電流を阻止し、直流又は比較的低い周波数の電流だけを通過させることを目的とした電磁ノイズ低減用のコイルである。
【００２０】
図６，図８〜図１２に示すように、給電用の各ターミナル４２の一端部４２ａは段差状に折り曲げ形成してあり、その中央にスリット状の接続孔４２ｂを形成してある。また、給電用の各ターミナル４２の中途部４２ｃは垂直に起立していて、ブラシホルダ本体２１の底壁部２２の各収納凹部２３の孔部２３ｂを通って雌コネクタ部２７の裏側に延びている。そして、図６に示すように、給電用の各ターミナル４２の他端部４２ｄはブラシホルダ本体２１の雌コネクタ部２７内に突出している。この組み付けの際に、ブラシホルダ本体２１の周壁部２５の開口部２６内に、各チョークコイル４０の他端部４０ｂと給電用の各ターミナル４２の一端部４２ａをそれぞれ露出するように配索し、該各ターミナル４２の一端部４２ａの接続孔４２ｂに各チョークコイル４０の他端部４０ｂを貫通させた後で、これら両端部をスポット溶接により接合するようになっている。
【００２１】
また、図８，図１１，図１２に示すように、アースターミナル４４の基端部４４ａは接地用のターミナル４３の中途部４３ｃにスポット溶接により接合されている。このアースターミナル４４の先端部４４ｂは略Ｕ字状に折り曲げ形成されている。この略Ｕ字状の先端部４４ｂは、図３，図４に示すように、ブラシホルダ本体２１の底壁部２２からギヤケース１２の円筒部１２ａ内の組み付け方向に突出している。そして、図３に示すように、アースターミナル４４の略Ｕ字状の先端部４４ｂはギヤケース１２の軸方向（組み付け方向）に形成された嵌合溝１２ｅに嵌合されて接触するようになっている。
【００２２】
以上実施形態のモータ１０のブラシホルダ２０によれば、一対のチョークコイル４０，４０と給電用の一対のターミナル４２，４２の組立部品をブラシホルダ本体２１に組み付ける場合に、図１１及び図１２に示すように、ブラシホルダ本体２１の底壁部２２の一対の収納凹部２３，２３に給電用の一対のターミナル４２，４２を配索し、かつ、ブラシホルダ本体２１の周壁部２５の略半円筒状で一対のチョークコイル保持部２８，２８内に一対のチョークコイル４０，４０をそれぞれ収納する。そして、図６に示すように、ブラシホルダ本体２１の周壁部２５の開口部２６内に、各チョークコイル４０の他端部４０ｂと給電用の各ターミナル４２の一端部４２ａをそれぞれ露出するように配索し、その後で、両端部４０ｂ，４２ａをスポット溶接により接合する。
【００２３】
このブラシホルダ本体２１の略半円筒状の各チョークコイル保持部２８内に各チョークコイル４０を収納する際に、図５，図９に示すように、各チョークコイル保持部２８の一方の側壁２８ｄの上端に形成された係止凹部２８ｅで各チョークコイル４０の一端部４０ａを係止して保持している。これにより、簡単な構造で各チョークコイル４０をブラシホルダ本体２１の略半円筒状の各チョークコイル保持部２８内に確実に保持することができる。また、各チョークコイル４０は、各チョークコイル保持部２８の底壁に形成された略半円形の棚部２８ａに載置されるため、ブラシホルダ本体２１の略半円筒状の各チョークコイル保持部２８内からの各チョークコイル４０の脱落を確実に防止することができる。
【００２４】
さらに、図６に示すように、ブラシホルダ本体２１の周壁部２５の開口部２６内に、各チョークコイル４０の他端部４０ｂと給電用の各ターミナル４２の一端部４２ａをそれぞれ露出するように配索した後で、これら両端部４０ｂ，４２ａをスポット溶接により接合したことにより、各チョークコイル４０の他端部４０ｂと給電用の各ターミナル４２の一端部４２ａのスポット溶接による接合部分の変形や剥離を簡単かつ確実に防止することができる。これにより、各チョークコイル４０と給電用の各ターミナル４２のスポット溶接による接合部分の通電性を確実に確保することができる。
【図面の簡単な説明】
【００２５】
【図１】本発明の一実施形態のモータを示す斜視図である。
【図２】上記モータのヨークを取り外した状態を示す斜視図である。
【図３】上記モータのヨークを取り外した状態を一部断面で示す部分側面図である。
【図４】上記モータのギヤケースカバーに支持されたブラシホルダを底面側から見た斜視図である。
【図５】上記ブラシホルダを正面斜め上方から見た斜視図である。
【図６】上記ブラシホルダを背面側から見た斜視図である。
【図７】上記ブラシホルダの正面図である。
【図８】上記ブラシホルダの分解斜視図である。
【図９】上記ブラシホルダの要部の拡大斜視図である。
【図１０】上記ブラシホルダに配置されるブラシとチョークコイルとターミナルの関係を示す拡大斜視図である。
【図１１】上記ブラシホルダのブラシホルダ本体を正面斜め上方から見た斜視図である。
【図１２】上記ブラシホルダ本体の平面図である。
【図１３】上記ブラシホルダ本体の一対のチョークコイル保持部を正面斜め上方から状態から見た斜視図である。
【図１４】従来のブラシホルダの分解斜視図である。
【符号の説明】
【００２６】
１０  モータ
１７  アーマチュア軸
１８  コンミュテータ
２０  ブラシホルダ
２１  ブラシホルダ本体
２２  底壁部
２５  周壁部
２８，２８  一対のチョークコイル保持部
２８ａ  底壁（棚部）
２８ｄ  側壁
２８ｅ  係止凹部
３０  ステー
３１，３２  ブラシボックス
３３，３３  給電用の一対のブラシ
３５  接地用のブラシ
４０  チョークコイル
４０ｂ  他端部
４２，４２  給電用の一対のターミナル
４２ａ  一端部
４３  接地用のターミナル
【図１】
2008252972.tif 000003
【図２】
2008252972.tif 000004
【図３】
2008252972.tif 000005
【図４】
2008252972.tif 000006
【図５】
2008252972.tif 000007
【図６】
2008252972.tif 000008
【図７】
2008252972.tif 000009
【図８】
2008252972.tif 000010
【図９】
2008252972.tif 000011
【図１０】
2008252972.tif 000012
【図１１】
2008252972.tif 000013
【図１２】
2008252972.tif 000014
【図１３】
2008252972.tif 000015
【図１４】
2008252972.tif 000016